(57)【要約】      （修正有）【課題】魚が針掛かりしやすく、釣り針の軸が伸びにくい釣り仕掛けを提供する。【解決手段】ハリス挿通孔２を頭部に有する２本の釣り針１０２にハリス６が挿通され、２本の釣り針１０２がハリス６を軸に回動自在に動けるように取り付ける。また、ハリス６の一端７に２本の釣り針１０２がハリス６から脱落するのを防止するストッパー９を備える。２本の釣り針１０２はハリス６の一端７に位置し、近接しているので、２本の釣り針１０２が針掛かりする。【選択図】図１
0003226293.tif 000002
【実用新案登録請求の範囲】
【請求項１】
ハリスと、ハリス挿通孔を頭部に有する複数の釣り針と、前記複数の釣り針が前記ハリスの一端から脱落することを防止するストッパーと、を備え、前記複数の釣り針は、前記ハリス挿通孔に前記ハリスが挿通された状態で、前記ハリスを軸に回動自在に取り付けられ、前記ストッパーは、前記ハリスの前記一端に取り付けられていることを特徴とする釣り仕掛け。
【請求項２】
前記複数の釣り針のうち少なくとも１本が、軸のヒネリ角度が異なる請求項１の釣り仕掛け。
【請求項３】
前記複数の釣り針のうち少なくとも１本が、擬餌針である請求項１の釣り仕掛け。
【請求項４】
前記ストッパーと、前記複数の釣り針のうち前記ストッパーに最も近い釣り針との間に、前記ハリスが挿通されたリング状部材又は挿通部を有する球状部材を備える請求項１乃至請求項３のいずれかの釣り仕掛け。
【考案の詳細な説明】
【技術分野】
【０００１】  ハリス挿通孔を頭部に有する釣り針が、ハリスを挿通された状態でハリスを軸に回動自在に取り付けられる釣り仕掛けに関するものである。
【背景技術】
【０００２】  複数の釣り針が近接した状態でハリスに回動自在に取り付けられる仕掛けは現時点で公開されていないので、この仕掛けに関する研究はなされていない背景がある。
【先行技術文献】
【０００３】
【特許文献１】特開昭６３−２０９５３４
【考案の概要】
【考案が解決しようとする課題】
【０００４】  魚釣りに使用する釣り針は小さい物が魚に吸い込まれやすく針掛かりしやすいが、小さい釣り針は軸が細いので軸が伸びて魚が外れやすい。そこで軸が太く大きい釣り針を使用すれば軸は伸びないが、魚に吸い込まれにくく釣果が上がらないという課題がある。また小さい釣り針で軸を太くすると、魚に貫通しにくく、魚が針掛かりしない。【０００５】  特許文献１の発明は小針が回動自在に取り付けられているが、親針はハリスに固定されているため、ハリスを軸に回動して魚に針掛かりすることはない。【０００６】  本考案は、魚が針掛かりしやすく、釣り針の軸が伸びにくい釣り仕掛けを提供するものである。
【課題を解決するための手段】
【０００７】  本考案は、ハリスと、ハリス挿通孔を頭部に有する複数の釣り針と、前記複数の釣り針が前記ハリスの一端から脱落することを防止するストッパーと、を備え、前記複数の釣り針は、前記ハリス挿通孔に前記ハリスが挿通された状態で、前記ハリスを軸に回動自在に取り付けられ、前記ストッパーは、前記ハリスの前記一端に取り付けられていることを特徴とする釣り仕掛けである。【０００８】  本考案の釣り仕掛けの前記複数の釣り針のうち少なくとも１本が、軸のヒネリ角度が異なる請求項１の釣り仕掛けである。【０００９】  本考案の釣り仕掛けの前記複数の釣り針のうち少なくとも１本が、擬餌針である請求項１の釣り仕掛けである。【００１０】  本考案は、前記ストッパーと、前記複数の釣り針のうち前記ストッパーに最も近い釣り針との間に、前記ハリスが挿通されたリング状部材又は挿通部を有する球状部材を備える請求項１乃至請求項３のいずれかの釣り仕掛けである。
【考案の効果】
【００１１】  本考案の釣り仕掛けは、魚の引きを複数の釣り針に分散出来るので、軸の細い小さい釣り針が使用出来、魚が針掛かりしやすく、軸が伸びにくい釣り仕掛けである。【００１２】  本考案の釣り仕掛けの複数の釣り針のうち少なくとも１本が、軸のヒネリ角度が異なるので、近接した釣り針でも針先の間隔が広がり、魚の口に掛かる力を複数個所に分散出来、口が切れやすいアジでも釣ることが出来る。【００１３】  本考案の釣り仕掛けの複数の釣り針のうち少なくとも１本が、擬餌針であるので、魚の活性変化に合わせて釣ることが出来る。【００１４】  本考案の釣り仕掛けは、釣り針とストッパーとの間にリング状部材又は挿通孔を有する球状部材を備えるので、釣り針とストッパーとの摩擦が低減でき回動しやすくなり、魚が針掛かりしやすい。
【図面の簡単な説明】
【００１５】
【図１】第一の実施例
【図２】ａ）  挿通孔を有する釣り針の左側面図  ｂ）  挿通孔を有する釣り針の正面図
【図３】ａ）  軸のヒネリがある釣り針  ｂ）  ａ）と逆の軸のヒネリがある釣り針
【図４】擬餌針
【図５】第二の実施例
【考案を実施するための形態】
【００１６】  下記の実施例をもって、考案を実施するための形態の説明も兼ねる。釣り仕掛けの説明においては、針先の位置など見やすくするために餌は付けない状態で説明する。
【実施例】
【００１７】  図１の第一の実施例である釣り仕掛け１０１は、２本の釣り針１０２を有し、この２本の釣り針１０２のハリス挿通孔２にハリス６が挿通され、２本の釣り針１０２が近接した状態でハリス６を軸に回動自在に装着されている。
更に、２本の釣り針１０２とハリス６の一端７との間にストッパー９を備えるので２本の釣り針１０２がハリス６の一端７から脱落しない。
このストッパー９は、ハリスを結束した結び玉とするのが便利である。
ハリス６の他端８はサルカンなどに接続されるが図では示していない。
この第一の実施例は、１本のハリスに装着する釣り針を２本にする構成であり、釣り針に掛かる魚の引きが２本に分散でき、釣り針の軸が伸びにくくなり魚が外れない。釣り針の軸が伸びにくくなるので、魚が吸い込み易い小さい釣り針が使用できる。
図３ａ）図３ｂ）に示すそれぞれ軸のヒネリが異なる２本釣り針１０３及び１０４を使用すればそのヒネリの大きさ分だけ針先間の距離が広がるので、アジなどの口が切れて釣り針が外れやすい魚の場合は、アジの口に掛かる力も２個所に分散されるのでアジの口が切れずに釣ることが出来る。
２本の釣り針のうち１本に擬餌針を使用することで、魚の活性に合わせることも出来るので、活性が高い時は、残り１本の釣り針の餌が不要となる。活性が低い時は、残り１本に餌を係止することで魚に食わせる。
（擬餌針に餌を係止することもできるが、一般的に餌が係止しにくいものである）【００１８】  図５の第二の実施例である釣り仕掛け１０６は、２本の釣り針１０２とストッパー９との間にリング１０を備えている。その他の構成は第一の実施例と同じである。
リング１０は魚にかじられるので金属とするのが適している。球状部材でも構わないが、リングより厚さが厚くなりやすいので目立ちやすく魚に警戒されやすい。樹脂やガラス材は魚にかじられ脱落しやすいので適さない。
このリング状部材及び挿通孔を有する球状部材は、ストッパー９の直径より大きい径のハリス挿通孔２を有する釣り針１０２の脱落防止の機能も持つ。
（大きい釣り針は軸も太いためハリス挿通孔の径も大きいのが一般的）
【符号の説明】
【００１９】    １  釣り針の頭部
２  ハリス挿通孔
３  釣り針の軸
４  針先
５  返し
６  ハリス
７  ハリスの一端
８  ハリスの他端
９  ストッパー
１０  リング
１１  疑似餌部
１３  針先の間隔
１０１  第一の実施例
１０２  頭部にハリス挿通孔を有する釣り針
１０３  ヒネリがある釣り針
１０４  １０３とは逆向きのヒネリがある釣り針
１０５  擬餌針
１０６  第二の実施例
【図１】
0003226293.tif 000003
【図２】
0003226293.tif 000004
【図３】
0003226293.tif 000005
【図４】
0003226293.tif 000006
【図５】
0003226293.tif 000007